(57)【要約】通信装置は対応する通信チャンネルのために推定されたチャンネル・パラメータを使用して、品質基準目標値（例えば、信号対干渉比率（ＳＩＲ）目標）を生成する。
2005533403.tif 000002
【特許請求の範囲】
【請求項１】
通信チャンネルに対するチャンネル・パラメータを前記通信チャンネルから受信した信号に基づいて推定するチャンネル推定器と、
前記チャンネル推定器によって推定されたチャンネル・パラメータを使用して前記通信装置に対する品質基準目標値を生成する品質基準目標生成器であって、前記品質基準目標値は前記通信装置に関連する品質基準に対する目標値を表わす、品質基準目標生成器と、
を含むことを特徴とする通信装置。
【請求項２】
前記品質基準目標生成器は、信号対干渉比率（ＳＩＲ）目標値を生成することを特徴とする請求項１記載の通信装置。
【請求項３】
前記品質基準目標生成器は、前記チャンネル推定器によって推定されたチャンネル・パラメータを使用して推定された品質基準目標値を決定する品質基準目標推定器、および、パフォーマンス情報に基づいて前記推定された品質基準目標値を訂正するための品質基準目標訂正ユニットを含むことを特徴とする請求項１記載の通信装置。
【請求項４】
前記パフォーマンス情報は、ブロック誤り率（ＢＬＥＲ）情報を含むことを特徴とする請求項３記載の通信装置。
【請求項５】
前記品質基準目標生成器は、前記通信チャンネルに関連するシンボル・エネルギー分散情報を使用して、前記品質基準目標値を生成することを特徴とする請求項１記載の通信装置。
【請求項６】
前記通信チャンネルから受信した信号に対する実際の品質基準値を推定する品質基準推定器をさらに含むことを特徴とする請求項１記載の通信装置。
【請求項７】
前記推定された品質基準値および前記品質基準目標値に基づいて電力制御メッセージを生成するメッセージ生成器をさらに含むことを特徴とする請求項６記載の通信装置。
【請求項８】
前記通信装置は、携帯型の通信機であることを特徴とする請求項１記載の通信装置。
【請求項９】
前記通信装置は、基地局トランシーバであることを特徴とする請求項１記載の通信装置。
【請求項１０】
前記通信装置は、符号分割多元接続（ＣＤＭＡ）システムの一部であることを特徴とする請求項１記載の通信装置。
【請求項１１】
通信装置内で品質基準目標値を生成する方法において、
通信チャンネルに対するチャンネル・パラメータを前記通信チャンネルから受信した信号に基づいて推定する段階と、
前記品質基準目標値を前記推定されたチャンネル・パラメータを使用して計算する段階と、
を含むことを特徴とする方法。
【請求項１２】
前記品質基準目標値を計算する段階は、前記推定されたチャンネル・パラメータを使用して推定された品質基準目標値を決定する段階を含むことを特徴とする請求項１１記載の方法。
【請求項１３】
前記品質基準目標値を計算する段階は、前記通信装置に関連するパフォーマンス情報に基づいて前記推定された品質基準目標値を訂正する段階をさらに含むことを特徴とする請求項１２記載の方法。
【請求項１４】
前記パフォーマンス情報は、ブロック誤り率（ＢＬＥＲ）情報を含むことを特徴とする請求項１３記載の方法。
【請求項１５】
チャンネル・パラメータの推定は、前記通信チャンネル中の経路の数、前記通信チャンネル中の経路の強度、前記通信装置の相対速度、前記通信チャンネル中の経路のフェーディング率、前記通信チャンネル中のシンボル・エネルギー分散、および前記通信チャンネル内の異なるブロックのシンボル間の分散、の少なくとも１つを推定する段階、を含むことを特徴とする請求項１１記載の方法。
【請求項１６】
前記品質基準目標値の計算は、信号対干渉比率（ＳＩＲ）目標を計算する段階を含むことを特徴とする請求項１１記載の方法。
【請求項１７】
通信チャンネルに対するチャンネル・パラメータを前記通信チャンネルから受信した信号に基づいて推定するチャンネル推定器と、
前記通信装置のパフォーマンス・パラメータを推定するパフォーマンス推定器と、
前記通信装置に対する品質基準目標値を生成する品質基準目標生成器であって、前記品質基準目標生成器は、前記チャンネル推定器によって推定されたチャンネル・パラメータ、および、前記パフォーマンス推定器によって決定された前記推定されたパフォーマンス・パラメータを使用して、前記品質基準目標値を生成する品質基準目標生成器と、
を含むことを特徴とする通信装置。
【請求項１８】
前記品質基準目標値を生成するために、前記パフォーマンス推定器は前記通信装置の受信誤り率を推定し、および、前記品質基準目標生成器は前記受信誤り率を使用することを特徴とする請求項１７記載の通信装置。
【請求項１９】
前記品質基準目標生成器は、おおよその品質基準目標値を決定するために前記チャンネル・パラメータを、かつ、前記おおよその品質基準目標値を訂正するために前記推定されたパフォーマンス・パラメータを、使用することを特徴とする請求項１７記載の通信装置。
【請求項２０】
前記チャンネル推定器は、前記通信チャンネル中の経路の数、前記通信チャンネル中の経路の強度、前記通信装置の相対速度、前記通信チャンネル中の経路のフェーディング率、前記通信チャンネル中のシンボル・エネルギー分散、および前記通信チャンネル内の異なるブロックのシンボル間の分散、の少なくとも１つを推定することを特徴とする請求項１７の通信装置。
【請求項２１】
前記通信チャンネルから受信された前記信号の品質基準を推定する品質基準推定器と、
前記推定された品質基準および前記品質基準目標値に基づいて電力制御メッセージを生成するメッセージ生成器と、
を含むことを特徴とする請求項１７記載の装置。
【請求項２２】
移動通信機において、
前記移動通信機と第１の遠隔基地局との間の通信チャンネルに対する推定されたチャンネル・パラメータを使用して、前記第１の遠隔基地局に対する第１の品質基準目標値を生成する第１の品質基準目標生成器と、
前記移動通信機と第２の遠隔基地局との間の通信チャンネルに対する推定されたチャンネル・パラメータを使用して、前記第２遠隔基地局に対する第２品質基準目標値を生成する第２品質基準目標生成器と、
少なくとも前記第１の品質基準目標値および前記第２の品質基準目標値を使用して、前記移動通信機に対してサービスする基地局としての役割を果たす遠隔基地局を選択するサイト選択マネージャと、
を含むことを特徴とする移動通信機。
【請求項２３】
前記第１および第２品質基準目標生成器は、ＳＩＲ目標生成器を含むことを特徴とする請求項２２記載の移動通信機。
【請求項２４】
少なくとも１つの他の遠隔基地局に対する少なくとも１つの他の品質基準目標値を生成する少なくとも１つの他の品質基準目標生成器であって、前記サイト選択マネージャは前記少なくとも１つの他の品質基準目標値を使用して前記サービスする基地局の役割を果たす前記遠隔基地局を選択する、少なくとも１つの他の品質基準目標生成器と、
を含むことを特徴とする請求項２２記載の移動通信機。
【請求項２５】
対応する品質基準目標値に基づいて遠隔基地局に対する電力制御メッセージを生成するメッセージ生成器をさらに含むことを特徴とする請求項２２記載の移動通信機。
【発明の詳細な説明】
【背景技術】
【０００１】
所望の通信特性レベルを維持しながら、送信電力を最小にするための電力制御方法がよくワイヤレス通信システム内で実行される。１つの評判のよい電力制御技術では、外部ループおよび内部ループを具備する入れ子状のループ構造が送信電力を制御するために用いられる。外部ループでは、受信信号のブロック・エラー率（block error rate: ＢＬＥＲ）が監視され、所望のＢＬＥＲと比較される。その際、信号対干渉比（signal to interference ratio: ＳＩＲ）の目標がその比較に基づいて受信機のために生成される。内部ループでは、受信信号のために測定されたＳＩＲがＳＩＲ目標と比較される。その後、電力制御メッセージが、そのＳＩＲ比較の結果に基づいて（電力制御の修正が望ましいかどうかを示して）送信機への伝送のために生成される。この電力制御技術（および他の同様の方法）が有する問題は、ＢＬＥＲ測定が比較的ゆっくりと行われるため、その送信電力をチャンネル状態の変化にすばやく適合させることができないということである。これは、よく理解されているように、非固定チャンネルを有する通信システムにおける通信品質の劣化をきたす。
【詳細な説明】
【０００２】
以下の詳細な記述では、実例として、本発明が実施される特定の実施例を示す添付図面に対して説明が行われる。これらの実施例は、当業者がその発明を実施することができる程度に十分かつ詳細に記述される。本発明の様々な実施例は、異なってはいるが、必ずしも相互に排他的ではないことが理解されるであろう。例えば、１つの実施例に関して記述された特定の機能、構造または特徴は、本発明の精神および範囲から逸脱せずに、他の実施例内で実施することできる。加えて、各々示された実施例内にある個々の要素の場所または配置は、本発明の精神および範囲から逸脱せずに、修正され得ることが理解されるであろう。したがって、次の詳細な説明は限定する意図で扱われるべきではなく、また、本発明の範囲は、添付の請求項によってのみ定義され、権利が付与される均等の全範囲と共に、適宜に解釈される。図面では、類似の数字はいくつかの図面の全体に亘って同一または類似の機能を示す。
【０００３】
本発明は、チャンネル状態に基づいて通信システムの品質基準目標値値（例えばＳＩＲ目標）を更新するための方法と構造に関係する。その方法と構造は、システムにおけるチャンネル状態の変化に対して比較的すばやい応答を提供することができる。電力制御のシナリオでは、品質基準目標値を更新するためのチャンネル条件情報を使用することにより、対応する誤り率情報を待つ必要性がなく、電源制御ループ中の急速な収束に帰着させることになる。その後、誤り率情報が利用可能なときに、誤り率情報は品質基準目標値を精細化するために使用される。品質基準目標値を更新する方法および構造は、さらに、サイト選択ダイバーシチ送信（site selection diversity transmit:ＳＳＤＴ）モードの動作を含むシステムおよび装置中のアプリケーションを有する。本発明の本質は、多種多様の異なるワイヤレス通信システムのアプリケーション中で使用される。本発明の本質は、時間的に速く変化するチャンネルを具備するシステム（例えば移動通信システム）において特に有益である。
【０００４】
図１は、電力制御機能を行なうことができる先行技術の通信装置１０を図示するブロック図である。図示されるように、通信装置１０は、受信アンテナ１２、受信機１４、チャンネル推定器１６、ＳＩＲ推定器１８、ブロック誤り率推定器２０、ＳＩＲ目標生成器２２、比較ユニット２４、メッセージ生成器２６、送信機２８、および送信アンテナ３０を含む。通信信号は、ワイヤレス通信チャンネル経由して遠隔トランシーバから受信アンテナ１２で受信される。受信信号は、受信機１４およびチャンネル推定器１６に送られる。受信機１４は受信信号を処理し、それをベースバンド形式に変換する。チャンネル推定器１６は、受信信号を処理し、ワイヤレス・チャンネルに対するチャンネル・パラメータを推定する。ブロック誤り率推定器２０は、受信機１４からベースバンド情報を得て、通信装置１０用のブロック誤り率（ＢＬＥＲ）を決定するためにその情報を使用する。
【０００５】
ＳＩＲ目標生成器２２は、ブロック誤り率推定器２０によって決定された推定ＢＬＥＲおよび装置１０の所望のＢＬＥＲに基づいて、通信装置１０のＳＩＲ目標を生成する。ＳＩＲ推定器１８は、チャンネル推定器１６によって決定されたチャンネル・パラメータを使用して、受信信号のＳＩＲを推定する。比較ユニット２４は、推定ＳＩＲをＳＩＲ目標生成器２２によって生成されたＳＩＲ目標と比較し、メッセージ生成器２６に比較結果を出力する。その後、メッセージ生成器２６は、その比較結果に基づいた電力制御メッセージを生成する。その後、送信機２８および送信アンテナ３０は、ワイヤレス・チャンネルを通して遠隔のトランシーバにメッセージを送信するために使用される。メッセージは、例えば、固定された量だけの送信電力を強めるか弱めるかの要求を含む。受信および送信アンテナ１２，３０は、適切な双方向性機能を兼ね備えた単一のアンテナと取り替えてもよい。
【０００６】
通信システムでの誤り率は典型的には小さいので、受信情報のＢＬＥＲを測定するプロセスは典型的には比較的遅くなる。すなわち、収束時間は、少なくとも１／ＢＬＥＲのオーダーになるであろう。したがって、ＳＩＲ目標生成器２２によって生成されるＳＩＲ目標は典型的にはチャンネル状態の変化に反応するのが遅くなる。この理由で、チャンネル状態が変化すると、装置１０の所望のＢＬＥＲを達成するために不適切なＳＩＲ（つまりＳＩＲ目標）を装置１０が維持しようと試みる期間が存在する。
【０００７】
図２は、本発明の実施例に従う通信装置３２を図示するブロック図である。より詳しく記述されるように、通信装置３２は、変化するチャンネルに応じてＳＩＲ目標を比較的素早く更新することができる。通信装置３２は、例えば携帯型通信装置、セルラー基地局のトランシーバ、衛星アップリンク、ダウンリンクまたはクロスリンク・トランシーバ、地球上のワイヤレス・リンク内のトランシーバ、ローカル・マルチポイント配電システム（ＬＭＤＳ）またはマルチポイント多重チャンネル配電システム（ＭＭＤＳ）のトランシーバ、双方向無線機、ワイヤレス・ローカル・エリア・ネットワーク（ＬＡＮｓ）内のトランシーバ、都市内ネットワーク（ＭＡＮｓ）、および広域ネットワーク（ＷＡＮｓ）、ワイヤレス・ローカル・ループ・トランシーバおよびその他のものを含み、ワイヤレス通信システム内に使用される通信装置またはサブシステムとしてあらゆる形式で実行される。図示されるように、通信装置３２は次のものを含む、すなわち、受信アンテナ３４、受信機３６、チャンネル推定器３８、ＳＩＲ推定器４０、パフォーマンス推定器４２、ＳＩＲ目標生成器４４、比較ユニット４６、メッセージ生成器４８、送信機５０、および送信アンテナ５２を含む。図１の装置１０内における対応するブロックと異なり、図２のＳＩＲ目標生成器４４は、ＳＩＲ目標を生成するために、チャンネル推定器３８によって推定されたチャンネル・パラメータを使用する。パフォーマンス推定器４２（例えば、ブロック誤り率）によって推定されたパフォーマンス情報も、ＳＩＲ目標を生成するためにＳＩＲ目標生成器４４によって使用される。ＳＩＲ目標を生成するためのチャンネル・パラメータを使用することによって、対応するパフォーマンス情報が測定される前に、その目標はチャンネル状態の変化に素早く適合することができる。前述のように、受信信号のＳＩＲはＳＩＲ推定器４０によって推定され、ＳＩＲ目標と比較される。その後、メッセージが生成され、比較結果に基づいて遠隔トランシーバに伝送される。
【０００８】
図２（およびここに引用された他のブロック図）に図示されたブロックは、本質的に機能的であり、必ずしも個別ハードウェア要素を表わすものでないことが認識される。例えば、少なくとも１つの実施例では、ブロックの１つ以上は、装置３２における単一（あるいは複数）のデジタル処理装置内のソフトウェア中で実行される。これは、例えば、汎用マイクロプロセッサ、デジタル信号プロセサ（ＤＳＰ）、縮小命令セット・コンピュータ（ＲＩＳＣ）、複雑命令セット・コンピュータ（ＣＩＳＣ）、フィールド・プログラマブル・ゲート・アレイ（ＦＰＧＡ）、特定用途向け集積回路（ＡＳＩＣ）および／または他のものや、上記のものの組合せを同様に含んでもよい。
【０００９】
パフォーマンス推定器４２は、ＳＩＲ目標値を決定するのに役立つあらゆるタイプのパフォーマンス情報を推定することができる。これは、例えば、ブロック誤り率、ビット誤り率、記号誤り率および他のパフォーマンス測定を含んでもよい。チャンネル推定器３８は、ＳＩＲ目標生成器４４によって必要とされるあらゆる形式のチャンネル情報を推定し、ＳＩＲ目標値を決定することができる。これは、例えば、チャンネル中の経路の数、経路の強度、移動機の速度、経路のフェーディング率、シンボルのエネルギー分散、異なるブロックにおけるシンボル間の分散、全ブロック・エネルギーの分散および／または他のものを含んでもよい。ＳＩＲ目標生成器４４によって使用されるチャンネル・パラメータに加えて、チャンネル推定器３８は、さらにＳＩＲ推定器４０によって要求されることがある他のチャンネル・パラメータまたは通信装置３２内の他の機能を推定することもある。
【００１０】
図示された実施例では、比較ユニット４６は、ＳＩＲ目標とＳＩＲ推定との間の差を決定する差分ユニットとして示される。他の比較技術および／または構造は二者択一で使用されてもよい（例えば、比率ユニットなど）。差分ユニットが使用されるとき、メッセージ生成器４８は、遠隔トランシーバへの送出のためのメッセージを生成するために差分のサイン（恐らく大きさ）を使用することができる。例えば、差分が負の場合、ＳＩＲ推定はＳＩＲ目標より大きく、また、メッセージ生成器は、送信電力を固定量（例えば１デシベル（ｄＢ））だけ減少させることを遠隔トランシーバに要求するメッセージを生成する。差分が正の場合、ＳＩＲ推定はＳＩＲ目標より小さく、また、メッセージ生成器は、送信電力を固定量だけ高めることを遠隔トランシーバに要求するメッセージを生成する。メッセージ生成器４８は、送信電力の変化が要求される前に、しきい値を超過するために差分の大きさを二者択一で要求してもよい。理解されるように、電力制御メッセージを生成する多くの他の方法も使用することができる。例えば、メッセージ生成器４８は、単に遠隔のトランシーバへ差分情報を送ってもよく、遠隔トランシーバにそれに基づいて電力制御の決定を行なわせてもよい。同様に、メッセージ生成器４８は、通信装置３２内の比較ユニット４６の必要性を省いて、遠隔のトランシーバへＳＩＲ推定およびＳＩＲ目標情報を送ってもよい。さらに、理解されるように、遠隔トランシーバに電力制御情報を伝送するための他の多くの技術が可能である。
【００１１】
図３は、図２の装置３２の１つの可能な実行手段を表わす通信装置５４を図示するブロック図である。図示されるように、ＳＩＲ目標推定器５６は、チャンネル推定器３８によって生成されるチャンネル・パラメータに基づいてＳＩＲ目標を推定するために提供される。ＳＩＲ目標補正ユニット５８も、対応するパフォーマンス情報（例えば、誤り率情報）が利用可能になる時、ＳＩＲ目標推定器５６によってなされた推定を訂正するために提供される。結合ユニット６０は推定されたＳＩＲ目標を補正情報と結合し、実際のＳＩＲ目標を生成する。図示された実施例では、結合ユニット６０は、推定されたＳＩＲ目標および補正項の合計を決定する。多くの他の組合せ技術および／または構造を用いることもできる。
【００１２】
本発明の少なくとも１つの実施例では、パフォーマンス推定器４２は、補正項を生成する際にＳＩＲ目標補正ユニット５８によって使用のための受信機３６のＢＬＥＲを決定する。一般に、ワイヤレス通信装置の実際のＢＬＥＲは、システムでの信号のフォーマット・パラメータ（例えば符号体系、ブロック長など）、チャンネル・パラメータおよび装置のＳＩＲ目標（あるいは別の品質基準目標値）に依存するであろう。したがって、フォーマット・パラメータおよび所望のＢＬＥＲが知られている場合、現在のチャンネル・パラメータを使用して、ＳＩＲ目標を計算することは理論上可能である。しかしながら、多くの場合、フォーマット・パラメータ、チャンネル・パラメータ、ＢＬＥＲおよびＳＩＲ目標の関係について記述する関数を得ることは難しいが、しかし、多くのよい近似値を引き出すことはできる。少なくとも１つの実行手段では、ＳＩＲ目標推定器５６は、ＳＩＲ目標推定を決定するためにこれらの近似値の１つを使用する。
【００１３】
一旦推定されたチャンネル・パラメータが決定されたならば近似値を計算することは多くの場合比較的簡単なので、推定されたＳＩＲ目標はチャンネル状態の変化に素早く反応することができる。一旦エラー情報が利用可能になると、ＳＩＲ目標補正ユニット５８は、ＳＩＲ目標推定を修正するためにエラー情報を使用することができる。このように、たとえ対応する測定された誤り率情報がまだ得られていなくても、所望の誤り率を達成して、使用するチャンネル状態の変化の直後に比較的正確なＳＩＲ目標値が利用可能となる。このように、極めて不適切なＳＩＲ目標値がチャンネル状態の変化後の拡張期間に使用されるという状況は回避されるであろう。結果としての推定が完全に正確でないときさえ、ＳＩＲ目標近似値機能がシステム・タイミングを改善することが認識されるであろう。ＳＩＲ目標エラーのうちのいくらかが近似値によって補償されるという事実は、ＳＩＲ目標補正ユニット５８から要求される補正項を減少させ、それにより、より短い収束時間に帰着することになるであろう。一般に、ＳＩＲ目標近似値がより正確になればなるほど、結果としての収束時間はより短くなるであろう。本発明の少なくとも１つの実施例では、ＳＩＲ目標推定器５６は、ＳＩＲ目標補正ユニット５８なしで使用される（つまり、測定されたパフォーマンス水準に基づく補正はなされない）。
【００１４】
ある実行手段では、ＳＩＲ目標推定器５６は、次の方程式を使用して、ＳＩＲ目標に近似する。
ＳＩＲ目標＝Ｃ＋Ｄ＊σ２
ここで、σ２は全ブロック・エネルギー（つまり、コード・ブロック記号上のすべてで受け取られたエネルギー量）の分散、および、ＣおよびＤはプリオリ（例えば、符号体系、ビット・レート、所望のＢＬＥＲなど）として知られるパラメータに依存する変数である。分散σ２はチャンネル推定器３８によって直接測定することができ、あるいは、他の推定されたチャンネル・パラメータから計算することもできる。１つのアプローチとして、ＣとＤに対する値は通信装置５４中のルックアップ・テーブル内に格納され、必要な時に、適切な値が取り出される。
【００１５】
図４は、本発明の別の実施例に従う通信装置６２を図示するブロック図である。通信装置６２は、符号分割多元接続（ＣＤＭＡ）技術を実行するセルラー・システム内での使用に適合している。通信装置６２は、セルラー・システム内の移動通信機または基地局トランシーバのいずれかで実施できる。図示されるように、装置６２は、受信アンテナ３４、逆拡散器(despreader)６４、レーキ受信機６６、チャンネル推定器３８、ＳＩＲ推定器４０、デコーダ６８、巡回冗長検査（ＣＲＣ）ユニット７０、ＳＩＲ目標推定器５６、ＳＩＲ目標補正ユニット７２、結合ユニット６０、比較ユニット４６、メッセージ生成器４８、送信機５０、および送信アンテナ５２を含む。装置６２が移動通信機として実施される場合、受信アンテナ３４は１つ以上の遠隔基地局から拡散スペクトラムＣＤＭＡ信号を受信する。逆拡散器６４は、ＣＤＭＡ技術を使用して、信号の１つ以上を逆拡散する。その後、チャンネル推定器３８は、対応するチャンネルに対するチャンネル・パラメータを推定するために逆拡散情報を処理する。その後、ＳＩＲ推定器４０は、チャンネル推定器３８によって決定されたチャンネル・パラメータを使用して、受信信号のＳＩＲを推定する。ＳＩＲ目標推定器５６は、チャンネル推定器３８によって決定されたチャンネル・パラメータに基づいてＳＩＲ目標値を推定する。ＳＩＲ目標値は結合ユニット６０に送られる。
【００１６】
レーキ受信機６６は、特定の基地局に関連した様々なマルチパスのコンポーネントを分離し、それらをコヒーレントに結合する。デコーダ６８はその合成された信号を復号する。ＣＲＣ７０はデコーダ６８からの復号信号情報を使用し、装置６２内のＣＲＣエラー（例えば、ＣＲＣエラーのパーセンテージとして）を検出し計量する。ＳＩＲ目標補正ユニット７２は各ＣＲＣ結果に従ってＳＩＲ目標補正項を更新する。正確なＣＲＣは補正項を一定のＤＥＬＴＡ＿ＵＰだけ減少させ、一方、エラーＣＲＣは補正項を一定のＤＥＬＴＡ＿ＤＯＷＮだけ増加させる。前述したように、ＳＩＲ目標推定器５６は典型的にはチャンネル状態の変化に素早く応答するであろう。その後、一旦エラー情報が利用可能になると、ＳＩＲ目標補正ユニット７２はＳＩＲ目標推定を更新する。推定されたＳＩＲ目標は結合ユニット６０中の補正項と結合され、また、合成されたＳＩＲ目標は比較ユニット４６中のＳＩＲ推定と比較される。その後、メッセージ生成器４８は比較結果に基づくメッセージを生成し、そのメッセージは送信機５０および送信アンテナ５２を使用して、遠隔の基地局へ送信される。受信アンテナ３４は１つ以上の遠隔の基地局以外に１つ以上の遠隔のユーザからもＣＤＭＡ信号を受け取るが、通信装置６２がセルラー基地局として実施されるとき、同様のアプローチが使用されてもよい。
【００１７】
本発明の少なくとももう１つの形態では、サイト選択ダイバーシチ送信（ＳＳＤＴ）の動作モードをサポートするために、ＳＩＲ目標演算がセルラーに基づいた通信システム内で使用される。この動作モードでは、移動通信機は、複数の異なる基地局のどの１つが特定の時間にそれに対して送信するかを選択することができる。例えば、１つの基地局からのチャンネルが衰えつつ（フェーディングしつつ）あるとき、ＳＳＤＴモードで動作する移動機はそのチャンネルを衰えていない別の基地局へスイッチすることができる。ある基地局から別の基地局への移行中に、新しい基地局のチャンネル条件は、多くの場合、前の基地局のチャンネル条件とは完全に異なる。もし前の基地局のＳＩＲ目標が新しい基地局と共に使用されれば、比較的大きなＳＩＲ目標エラーが生じることになるであろう。しかしながら、本発明の原理を使用すると、ＳＩＲ目標値の比較的迅速な調整が、新しい基地局のチャンネル条件に基づいてなされることができる。例えば、１つのアプローチでは、移動機は、通常動作中に候補となる各基地局のチャンネル条件を追跡し続ける。このように、新しい基地局に対する近似のＳＩＲ目標値が、新しい基地局を選択する時（または僅かに後）に使用可能になる。他の基地局のチャンネル条件が追跡されなくても、本発明のＳＩＲ目標計算による素早い応答は典型的には新しい基地局に対する収束を著しく促進させるであろう。
【００１８】
過去において、ＳＳＤＴモードで動作する移動機は、典型的には、候補となる各基地局から受信した電力の合計に基づいて基地局を選択する。しかしながら、受信機（例えば、ＢＬＥＲなど）のパフォーマンスは受信電力の関数だけではなく、さらに他のチャンネルのパラメータの関数でもある。この事実を無視することは、より高い受信電力を有する基地局への遷移に帰着するが、これはより低いパフォーマンス水準となる結果を導く。したがって、本発明の少なくとも１つの実施例では、ＳＳＤＴタイプの基地局選択基準の一部として推定されたチャンネル・パラメータを使用して計算されるＳＩＲ目標値を使用するシステムが提供される。
【００１９】
図５は、本発明の実施例に従ってＳＳＤＴ関数を達成するためにＳＩＲ目標情報を使用する通信装置８０を図示するブロック図である。図示されるように、装置８０は、図４の装置６２に類似するが、しかしながら、ＳＳＤＴマネージャ８２が追加されている。示されるように、ＳＳＤＴマネージャ８２は、ＳＩＲ目標推定器５６からチャンネル推定器３８によって現在追跡されている基地局（つまり、ＢＡＳＥ１）のための現在のＳＩＲ目標推定を受信する。ＳＳＤＴマネージャ８２は、さらに、１つ以上の他の基地局（例えば、図５中のＢＡＳＥ２−ＢＡＳＥ  Ｍ）に関連している装置８０中のＳＩＲ目標推定器からＳＩＲ目標推定を受信する。これらの他のＳＩＲ目標推定は、装置８０中の他の受信チャンネル内に生成され、それは、図示された一つと同じまたは類似である。ＳＳＤＴマネージャ８２は目標推定を使用し、装置８０のためにサービスする基地局としての役割を果たす基地局のうちの１つを選択する。ＳＩＲ目標推定に加えて、ＳＳＤＴマネージャ８２は、さらに他の基準を、基地局選別過程の一部としての基準（例えば、各基地局の合計受信電力レベル）を検討してもよい。
【００２０】
ＳＩＲ目標推定器５６の中で生成されたＳＩＲ目標推定の代わりに、ＳＳＤＴマネージャ８２は、結合ユニット６０（あるいは他の関連情報）によって訂正されたＳＩＲ目標情報出力を使用してもよい。ＳＩＲ目標推定（あるいは訂正されたＳＩＲ目標情報）は、チャンネル状態の対応する変化に典型的には素早く応答するので、ＳＳＤＴマネージャ８２はほぼリアルタイムで最適の基地局をダイナミックに選択することができる。基地局選択に対するこのアプローチは、セルラー・システムを基盤とする非ＣＤＭＡ中で実行することもできる。図５の装置８０では、ＳＩＲ目標推定は、さらに電力制御を実行する装置中で、ＳＳＤＴ基地局選別過程の一部としても使用される。これらの技術は、電力制御を使用しない装置の中でも使用できることが理解されるであろう。
【００２１】
上述された実施例では、信号対干渉比率（ＳＩＲ）は通信品質基準として使用される。本発明に従って通信品質の他の基準、例えば、信号対雑音比（ＳＮＲ）、信号対干渉および雑音比（ＳＩＮＲ）、ビット誤り率、信号電力および他のものをこれに代えて使用できることを理解すべきである。
【００２２】
本発明は、ある実施例と共に記述されたが、修正と変更が本発明の精神および範囲から逸脱せずに当業者に委ねられることを理解すべきである。このような修正および変更は、本発明および添付の請求項の範囲内にあると考えられる。
【図面の簡単な説明】
【００２３】
【図１】電力制御機能を達成することができる先行する通信装置のブロック図である。
【図２】本願発明の実施例に従う通信装置のブロック図である。
【図３】図２における装置の１つの実現可能なブロック図である。
【図４】本願発明の実施例に従う符号分割多元接続（ＣＤＭＡ）を実行するセルラー・システム内における使用に適する通信装置を示すブロック図である。
【図５】本願発明の実施例に従うＳＳＤＴ機能を達成するためのＳＩＲ目標情報を使用する通信装置を示すブロック図である。
【図１】
2005533403.tif 000003
【図２】
2005533403.tif 000004
【図３】
2005533403.tif 000005
【図４】
2005533403.tif 000006
【図５】
2005533403.tif 000007
【国際調査報告】
2005533403.tif 000008
2005533403.tif 000009
2005533403.tif 000010
2005533403.tif 000011
2005533403.tif 000012